(57)【要約】【課題】遭難者を含む遭難物を容易に救助、回収することができる救助艇を提供することを課題とする。【解決手段】水上水面の人を含む遭難物を救助、回収する救助艇１であって、前記救助艇１の前部に遭難物を掬う掬い部２を備え、前記掬い部２は、前記救助艇１から前方に向けて突設され、該掬い部２の基部２１が前記救助艇１の支点１１に装着されて上下に回動自在とされてなる救助艇１。掬い部２は、網と該網を周囲から保持する保持枠２３とを有することが望ましい。保持枠２３は、救助艇２の両側に沿った一対の側辺を有しており、前記側辺のそれぞれは、該側辺を押し引きする押引駆動部と連結していることが望ましい。【選択図】図１
2018062243.tif 000002
【特許請求の範囲】
【請求項１】
水上水面の人を含む遭難物を救助、回収する救助艇であって、
前記救助艇の前部に遭難物を掬う掬い部を備え、
前記掬い部は、前記救助艇から前方に向けて突設され、該掬い部の基部が前記救助艇の支点に装着されて上下に回動自在とされてなることを特徴とする救助艇。
【請求項２】
前記掬い部は、網と該網を周囲から保持する保持枠とを有することを特徴とする請求項１記載の救助艇。
【請求項３】
前記保持枠は、前記救助艇の両側に沿った一対の側辺を有しており、
前記側辺のそれぞれは、該側辺を押し引きする押引駆動部と連結している請求項１又は請求項２記載の救助艇。
【請求項４】
前記救助艇の操縦及び前記掬い部の操作が手動または無線で行われることを特徴とする請求項１乃至請求項３のいずれかに記載の救助艇。
【請求項５】
前記救助艇の前後方向の傾きに連動して該救助艇のバランスをとるバランサーを有することを特徴とする請求項１乃至請求項４のいずれかに記載の救助艇。
【請求項６】
静水時に前記掬い部を下方に回動させたときに、該掬い部の先端が水面下になることを特徴とする請求項１乃至請求項５のいずれかに記載の救助艇。
【発明の詳細な説明】
【技術分野】
【０００１】
本発明は、救助艇に関するものであって、特に水上水面の人を含む遭難物を容易に救助、回収できる救助艇に関する。
【背景技術】
【０００２】
我が国は世界でも有数の地震国であり、地震により多くの人命が失われている。
地震による被害者の中には、建物の倒壊など地震そのものに起因して生命をおとす者も多いが、地震により発生した津波にさらわれて生命を失う被害者も多い。津波発生後の水面には、津波によって流された瓦礫や木材などが大量に浮遊しており、これらの浮遊の間を走行できる小型の救助艇が好ましい。
【０００３】
従来の救助艇としては、例えば特許文献１に開示されたような、水上を走行できる小型ジェット推進艇が知られている。この特許文献１に開示された小型ジェット推進艇は、２〜３人乗りのもので、艇本体上部に救助隊員が乗って操縦することができるように構成されている。
【０００４】
しかしながら、このような救助艇においても遭難者を水面から救助艇に引き揚げるのに熟練と労力を必要とするので、容易に救助することができない。
【先行技術文献】
【特許文献】
【０００５】
【特許文献１】特開平９−３０２６５４号公報
【発明の概要】
【発明が解決しようとする課題】
【０００６】
本発明は、上述したような従来技術の問題点を解決すべくなされたものであって、遭難者を含む遭難物を容易に救助、回収することができる救助艇を提供することを課題とする。
【課題を解決するための手段】
【０００７】
請求項１に係る発明は、水上水面の人を含む遭難物を救助、回収する救助艇であって、前記救助艇の前部に遭難物を掬う掬い部を備え、前記掬い部は、前記救助艇から前方に向けて突設され、該掬い部の基部が前記救助艇の支点に装着されて上下に回動自在とされてなることを特徴とする救助艇に関する。
【０００８】
請求項２に係る発明は、前記掬い部は、網と該網を周囲から保持する保持枠とを有することを特徴とする請求項１記載の救助艇に関する。
【０００９】
請求項３に係る発明は、前記保持枠は、前記救助艇の両側に沿った一対の側辺を有しており、前記側辺のそれぞれは、該側辺を押し引きする押引駆動部と連結している請求項１又は請求項２記載の救助艇に関する。
【００１０】
請求項４に係る発明は、前記救助艇の操縦及び前記掬い部の操作が手動または無線で行われることを特徴とする請求項１乃至請求項３のいずれかに記載の救助艇に関する。
【００１１】
請求項５に係る発明は、前記救助艇の前後方向の傾きに連動して該救助艇のバランスをとるバランサーを有することを特徴とする請求項１乃至請求項４のいずれかに記載の救助艇に関する。
【００１２】
請求項６に係る発明は、静水時に前記掬い部を下方に回動させたときに、該掬い部の先端が水面下になることを特徴とする請求項１乃至請求項５のいずれかに記載の救助艇に関する。
【発明の効果】
【００１３】
請求項１に係る発明の救助艇によれば、救助艇の前部に遭難物を掬う掬い部を備えており、その掬い部が上下に回動する。この構造により、水上水面の遭難物を掬うときに、救助艇の先頭が遭難物に向くように操縦し、掬い部を下方に回動させた状態で救助艇を前進させて遭難物を掬い部に乗せ、掬い部を上方に回動させて遭難物を救助、回収することができる。このように、遭難物の救助、回収を簡単に行うことができる。また、救助艇の構造が簡単なので、救助艇のコストを安くすることができる。
【００１４】
請求項２に係る発明の救助艇によれば、掬い部は、網と該網を周囲から保持する保持枠とを有する。このことにより、遭難物を網で柔軟に保持することができるので、遭難物に損傷を与えるおそれが少ない。
【００１５】
請求項３に係る発明の救助艇によれば、救助艇の両側に沿った一対の側辺を押し引きするので、救助艇の左右のバランスが崩れ難い。
【００１６】
請求項４に係る発明の救助艇によれば、救助艇の操縦及び前記掬い部の操作が手動または無線で行われる。手動によって行うことにより、状況に応じた操縦、操作が行えると共に人手による救助、回収ができるので、遭難物を適切に救助、回収することができる。また、無線で行うことにより、遭難物を救助、回収する人が危険に晒されない。
【００１７】
請求項５に係る発明の救助艇によれば、救助艇の前後方向の傾きに連動して救助艇のバランスをとるバランサーを有する。
救助艇において、掬い部に遭難物を載せた場合、遭難物の重量のために、救助艇の前後方向のバランスが崩れ、救助艇が傾いて水が入るおそれがある。バランサーを有することにより救助艇のバランスが崩れ難いので、遭難物の回収後に安全に走行することができる。
【００１８】
請求項６に係る発明の救助艇によれば、静水時に掬い部を下方に回動させたときに、該掬い部の先端が水面下になる。このことにより、掬い部を下方に回動させて救助艇を遭難物に向けて前進させるだけで、容易に遭難物を網に乗せることができる。
【図面の簡単な説明】
【００１９】
【図１】（ａ）は本実施形態に係る救助艇の平面図であり、（ｂ）は側面図である。
【図２】（ａ）は同救助艇において遭難物を掬う前に掬い部を下方に回動させた状態の側面図であり、（ｂ）は掬い部を上向きに回動させて遭難物を水面上に持ち上げた状態の側面図であり、（ｃ）は更に掬い部を上方に回動させて遭難物を救助艇内に移す状態の側面図である。
【図３】同救助艇において、バランサーを備えた救助艇の側面図である。
【図４】同救助艇において、人が乗って手動操作をする場合の側面図である。
【発明を実施するための形態】
【００２０】
以下、本発明に係る救助艇の実施形態について、適宜図面を参照しながら説明する。
救助艇の平面図を図１（ａ）に示し、側面図を図１（ｂ）に示す。
本実施形態に係る救助艇１は、水上水面の人を含む遭難物を救助、回収する救助艇１であって、前記救助艇１の前部に遭難物を掬う掬い部２を備え、前記掬い部２は、救助艇１から前方に向けて突設され、該掬い部２の基部２１が救助艇１の支点１１に装着されて上下に回動自在とされている。
【００２１】
支点１１は、掬い部２の回動の中心となる。この支点１１は図１の例では、救助艇１の前部の上面に配置されているが、その配置位置に特に制限はなく、掬い部２によって、水面の人を容易に掬える位置が好ましい。
掬い部２は、救助艇１の支点１１に装着される基部２１と、遭難物を乗せる網２２と、該網２２を周囲から保持する保持枠２３と、掬い部２を回動させるシリンダー２４を有する。
網２２の材質としては特に制限はなく、遭難物を乗せる強度があり、遭難物に損傷を与えなければよい。例えば、金属、天然繊維、化学繊維からなるワイヤー等を用いることができる。
保持枠２３は網２２を周囲から保持しており、根本の基部２１が救助艇１の支点１１に装着されている。保持枠２３は、基部２１を中心としてシリンダー２４によって上下に回動される。保持枠２３の材質としては特に制限はなく、網２２に遭難物を乗せた状態で回動する強度があればよい。例えば、各種の金属を用いることができる。
このように網２２を用いることにより、遭難物を柔軟に保持することができるので、遭難物に損傷を与えるおそれが少ない。
【００２２】
保持枠２３は、救助艇１の両側に沿った一対の側辺２３ａを有している。それぞれの側辺２３ａは、連結材２５を介して側辺２３ａを押し引きする押引駆動部であるシリンダー２４と連結している。シリンダー２４の延伸に伴って保持枠２３は下向きに回動し、シリンダー２４の収縮に伴って保持枠２３は上向きに回動する。
シリンダー２４は、油圧シリンダー、エアーシリンダーのいずれでもよい。また、保持枠２３を回動させる押印駆動部にシリンダーを用いずに、モーター等を用いてもよい。
【００２３】
救助艇１をこのような構造にすることにより、水上水面の遭難物を掬うときに救助艇１の先頭が遭難物に向くように操縦し、掬い部２を下方に回動させた状態で救助艇１を前進させて遭難物を掬い部２に乗せ、掬い部２を上方に回動させて容易に救助、回収することができる。また、救助艇１の両側に沿った一対の側辺２３ａを押し引きするので、救助艇１の左右のバランスが崩れ難い。
このように遭難物の救助、回収を簡単に行うことができる。また、救助艇の構造が簡単なので、救助艇のコストを安くすることができる。
【００２４】
掬い部２の回動位置について図２を用いて説明する（遭難物は図示せず）。
図２（ａ）は、掬い部２を下向きに回動させた状態である。遭難物を掬うときは、このように掬い部２を下向きに回動させた状態で救助艇１を遭難物に向けて前進させ、網２２に遭難物を載せる。
掬い部２が下向きに回動する深さとしては、静水時において掬い部２の先端が水面下になる深さであり、好ましくは掬い部２の先端が水面下５０ｃｍよりも下方、更に好ましくは１ｍよりも下方になる深さである。
掬い部２の先端を水面下にすることにより、救助艇１を遭難物に向けて前進させるだけで、容易に遭難物を網２２に乗せることができる。
図２（ｂ）は、網２２に遭難物を載せた図２（ａ）の後で、掬い部２を上向きに回動させ、遭難物を水面上に持ち上げた状態である。このように、遭難物を水面上に持ち上げた状態で、救助艇１を避難所等の目的地に走行させる。
図２（ｃ）は、図２（ｂ）に示す状態よりも更に掬い部２を上向きに回動させ、遭難物を救助艇１の艇内に移す状態である。遭難物を艇内に移した状態で、救助艇１を避難所等の目的地に走行させる。遭難物を艇内に移しているので、遭難物が再度水中に入るおそれが少ない。このことにより、遭難物を安全に回収することができる。
【００２５】
本実施形態において、救助艇１の前後方向のバランスを調整するバランサーを備えてもよい。図３に、バランサーを備えた救助艇１の例を示す。
救助艇１において、掬い部２に遭難物を載せるときに、遭難物の重量のために救助艇１の前後方向のバランスが崩れ、救助艇１が傾いて水が入るおそれがある。
このために、救助艇１の前後方向のバランスを調整するバランサー３を備える。
バランサー３の構造に制限はない。例えば、バランサー３は、救助艇１の前後方向の傾きを検知する傾斜センサー（図示せず）と、前後方向に移動可能な重り３１と、傾斜センサーの検知した傾きに応じて重り３１を移動させる制御部（図示せず）とを有し、救助艇１の傾きに応じてバランスをとる。
遭難物の救助、回収操作において、前述した図２（ｂ）のように網２２に遭難物を乗せて水面上に持ち上げると救助艇１は前方に傾く。すると、その傾きを傾斜センサーが検知し、重り３１を後方に移動させる。図２（ｂ）の後、図２（ｃ）のように更に掬い部2を上向きに回動させ、遭難物を艇内に移すと、重心が救助艇1の後方に移動するので、救助艇1は後方に傾く。すると、その傾きを傾斜センサーが検知し、重り３１を前方に移動させる。
このように、救助艇1の前後方向のバランスが調整されるので、遭難物の救助、回収を安全に行うことができる。
【００２６】
救助艇１の操縦や掬い部２の操作は、人が救助艇１に乗って手動で行うようにしてもよいし、救助艇１に人が乗らずに無線で行うようにしてもよい。
図４に示すように人が救助艇１に乗って手動で行うようにすれば、状況に応じた操縦、操作が行えると共に人手による救助、回収ができるので、遭難物を適切に救助、回収することができる。
しかしながら、津波発生後の水面には津波によって流された瓦礫や木材などが大量に浮遊しており、更にガソリン等の可燃物や有毒物その他の危険物が浮遊しているので、人が救助艇１に乗って手動で行うのは危険な場合がある。このような場合、無線で救助艇１の操縦や掬い部２の操作を行えるようにしておけば、人が救助艇１に乗らなくても良いので危険に晒されない。
【００２７】
救助艇１に周囲を撮影するカメラを備えることが好ましい。操縦、操作を無線で行う場合、救助現場が操縦場所から離れていても、容易に救助、回収を行うことができる。
また、操縦、操作を無線で行う場合、救助した人と会話できるように、救助艇１に操縦場所と結ぶ通信装置を備えることが好ましい。
救助艇１の推進装置に特に制限はなく、スクリュー等の従来の装置を用いることができる。
【００２８】
救助艇１を用いて遭難物を救助、回収するには、例えば次のように行う。
（１）シリンダー２４を収縮させて掬い部２を上方に回動させた状態で、救助艇１を救助、回収する遭難物に向けて走行させる。
（２）遭難物の手前まで走行させ、先頭を遭難物に向けた位置で救助艇１を停止させる。
（３）シリンダー２４を延伸させて掬い部２を下方に回動させ、掬い部２の先端を水面下に潜らせる。
（４）救助艇１をゆっくりと前進させ、遭難物を網２２に乗せてから停止する。
（５）シリンダー２４を収縮させて掬い部２を上方に回動させ、掬った遭難物を救助艇１の艇内に移す。バランサー３を備える場合には、遭難物を掬うときにバランサー３によって前後方向のバランスを調整する。
（６）救助艇１を避難所等に走行させる。
【産業上の利用可能性】
【００２９】
本発明の救助艇は、津波時に限らず、水難者の救助や浮遊物の回収に用いることができる。
【符号の説明】
【００３０】
１      救助艇
１１    支点
２      掬い部
２１    基部
２２    網
２３    保持枠
２４    シリンダー
２５    連結材
３      バランサー
３１    重り
【図１】
2018062243.tif 000003
【図２】
2018062243.tif 000004
【図３】
2018062243.tif 000005
【図４】
2018062243.tif 000006